(57)【要約】  【課題】トレーを任意の箇所に選択可能に設置することにより、収納家具の有するレイアウト性能を向上させる。  【解決手段】トレー取付部材３ａ、３ｂは、開放された収納空間Ｓに用いる板状のものであって、一方の板面たる添接面３１ａ、３１ｂにおいて収納空間Ｓの立面たる側板１３、１４及び縦仕切２、２０に着脱可能に添接され、他方の板面たるレール面３３ａ、３３ｂにおいて収納空間Ｓの奥行き方向に延びるレール３４ａ、３４ｂを有することを特徴とする。  【選択図】図４
2005124747.tif 000002
【特許請求の範囲】
【請求項１】
開放された収納空間に用いる板状のものであって、一方の板面が収納空間内の立面に着脱可能に添接され、他方の板面に収納空間の奥行き方向に延びるレールを有することを特徴とするトレー取付部材。
【請求項２】
一方の板面に、収納空間の立面に開口する棚取付孔に係合可能な係合部を有する請求項１に記載のトレー取付部材。
【請求項３】
レールが他方の板面に複数段に亘って設けられ、レール同士の間隔が前記棚取付孔同士の間隔に等しいものである請求項２に記載のトレー取付部材。
【請求項４】
レールに平行な方向に分割することが可能な破断誘発部を有するものである請求項１〜３のいずれかに記載のトレー取付部材。
【請求項５】
前記破断誘発部がレール単位で分割することが可能な位置に設けられているものである請求項４に記載のトレー取付部材。
【請求項６】
樹脂により一体成形されている請求項１〜５のいずれかに記載のトレー取付部材。
【発明の詳細な説明】
【技術分野】
【０００１】
本発明は、収納空間にトレーを収納可能にするトレー取付部材に関するものである。
【背景技術】
【０００２】
従来より収納家具において、家具本体に形成された収納空間内に棚板等を配置することにより収納空間を仕切って複数に区画するようにしたものが種々考えられている。例えば、家具本体の左右の対向壁に、相対向させた棚取付孔を複数形成し、そのうちいずれか一対の対向する棚取付孔を利用して棚板を取り付けるようにした構成のものが挙げられる。
【０００３】
一方、収納空間内に複数のトレーを設置することにより該トレーを引出とした収納家具も存在する。このようなものとしては、家具本体の左右の対向壁に、奥行き方向に延びるレールを相対向させて複数形成し、その対向するレールにトレーの両側面に設けられた突条を係合させることにより、該トレーを奥行き方向へスライド可能に設置している構成のものが挙げられる。
【０００４】
また、特許文献１のように、棚板と略同様の構造を有する底板を具備するトレーユニットを左右の対向壁間に架設することにより、上記２つの機能を併せて実現しようとする収納家具も考えられている。
【特許文献１】実開平２−１２７２２２号公報
【発明の開示】
【発明が解決しようとする課題】
【０００５】
棚板とトレーとでは上記のようにその取付構造が異なるため、棚板を具備するものとトレーを具備するものとの相互の用途転換を行うには、棚板を取り付ける棚取付孔を設けた側板とトレーを取り付けるレールを設けた側板とを相互に交換しなければならず、それらの側板は通常一枚の板材であるため、そのような交換には多大な労力を必要とするとともに任意の箇所のみを交換するということはできない。そのため使用者は収納家具を購入する時点で収納家具の用途に関し、どちらかの選択を迫られるか、必要であれば両方の収納家具を購入しなければならなかった。
【０００６】
そこで、特許文献１のような収納家具を用いればそのような事態はある程度回避できるが、従来のトレーユニットは予め決められた数のトレーを具備している箱形のものであり、取り付けるトレーの数はこのトレーユニットの外箱の大きさによって予め決定されている。このようなものでは収納家具にトレーを収納に必要な数のみ取り付けるということができず、収納家具のレイアウトパターンも限られたものとなってしまう。また、レイアウトパターンを増やすためには収納するトレーの形状・数がそれぞれ異なるトレーユニットを多数設定しなければならず、その種類と同じだけ外箱も用意しなければならない。このようなものでは、いきおい収納家具を構成する品種数が増大してしまう。
【０００７】
本発明は、このような不具合に着目したものであり、本発明の所期の目的とするところは棚等の収納空間において、トレーを任意の箇所に選択可能に設置することにより、収納家具の有するレイアウト性能を向上させることにある。
【課題を解決するための手段】
【０００８】
上記課題を解決するためになされた本発明は、開放された収納空間に用いる板状のものであって、一方の板面において収納空間内の立面に着脱可能に添接され、他方の板面において収納空間の奥行き方向に延びるレールを有することを特徴とするトレー取付部材を提供するものである。
【０００９】
このようなものであれば、トレー取付部材を収納空間内の立面に適宜取り付けることにより、予めレールを具備していない収納空間においてもトレーを充填することができるので、収納空間のレイアウトのバリエーションを向上させることができる。また、従来のトレーユニットのような、トレーの形状・数に合わせた外箱が不要になるため、外箱の位置・大きさに制限されることなくトレーを自由に配置することができるとともに、トレー取付部材のみ用意すれば、収納家具を構成する品種数を増やすことなく様々なレイアウトパターンを実現することができる。
【００１０】
本発明に係るトレー取付部材の具体的な実施の態様としては、一方の板面が、収納空間内に棚板を取り付けるための棚取付孔に係合可能な係合部を有するものが挙げられる。このようなものであれば、棚取付孔を利用して収納空間内に棚板を取り付けるかトレーを取り付けるかの選択を行うことができるので、別途トレーユニットを取り付けるための加工をすることなく収納空間内のレイアウトのバリエーションを向上させることができる。
【００１１】
また、レールが他方の板面に複数段に亘って設けられる場合には、レール同士の間隔が前記棚取付孔同士の間隔に等しくなるように構成しておくことが好ましい。このようなものであれば、複数のレール同士の間隔に従ってトレーを配置すれば、棚取付孔同士の間隔に基づいてトレーを配置することができるので、収納空間内に棚板とトレーを混在させた状態においても規則正しく配列させることが可能となる。そうすることにより意匠的効果を向上させるとともに収納空間の収納効率を高めることができる。
【００１２】
本発明に係るトレー取付部材は、レールに平行な方向に分割することが可能な破断誘発部を有するものであっても良い。このようなものであれば、破断誘発部の箇所で分割することによりレールの本数の少ないトレー取付部材とすることもできる。そうすることによりトレーと棚板とを収納空間内に混在させる際の自由度が増すため、レイアウトのバリエーションをさらに向上させることが可能となる。また、前記破断誘発部がレール単位で分割することが可能な位置に設けられているものであっても良い。このようなものであればトレー取付部材が有するレールの数を１つ単位で変更することもでき、トレーを取り付けたい箇所にのみレールを設けることができるので、レイアウトのバリエーションをさらに広げることが可能となる。
【００１３】
そして生産コストを低減させるために、本発明に係るトレー取付部材は樹脂により一体成形されているものであることが望ましい。
【発明の効果】
【００１４】
本発明によれば、棚等の収納空間において、別途トレーユニットを取り付けるための加工をすることなくトレーを取り付けることが可能となるとともに、棚板及びトレーを任意の箇所に選択可能に設置することが可能となるので、収納空間内のレイアウトのバリエーションを向上させることができる。また、従来のトレーユニットのような、トレーの形状・数に合わせた外箱が不要になるため、外箱の位置・大きさに制限されることなくトレーを自由に配置することができるとともに、収納家具を構成する品種数を増やすことなく様々なレイアウトパターンを実現することができる。
【発明を実施するための最良の形態】
【００１５】
以下、本発明の一実施形態について図面を参照して説明する。
【００１６】
図１に示すように、本実施形態に係る収納家具１は、前面に開放された収納空間Ｓを有する収納家具本体１０と、該収納空間Ｓを上下方向に仕切る棚板Ｐと、収納空間Ｓを幅方向に仕切る縦仕切２とを具備しており、これら棚板Ｐ及び縦仕切２を用いて収納空間Ｓを上下方向・幅方向に区成することにより複数の棚空間を形成するものである。本実施形態において収納家具本体１０、棚板Ｐ及び縦仕切２はそれぞれ金属板を折り曲げ加工等することにより作成されている。
【００１７】
また、本実施形態に係る収納家具１は前記収納空間Ｓに幅や深さ（高さ）のそれぞれ異なるトレー４１、４２、４３、４４を配置している。
【００１８】
収納家具本体１０は上側に位置する頂板１１、下側に位置する底板１２及び両側に起立している１対の側板１３、１４及び収納家具１の後方を閉鎖する背板１５により構成されている。
【００１９】
収納空間Ｓの上端に位置する頂板１１は、その両側端が１対の側板１３、１４に、後端が背板１５にそれぞれ接続されている。頂板１１の上面は、図１のように平板状の化粧面として意匠的要素を担っているとともに、図示しない下側面は収納空間Ｓを幅方向に２等分する箇所と３等分する箇所に後述する縦仕切２、２０を接続することができるようになっている。
【００２０】
収納空間Ｓの下端に位置する底板１２は、その両側端から１対の側板１３、１４が起立するとともに、後端が背板１５に接続されている。また、底板１２の上面には収納空間Ｓを幅方向に２等分する箇所と３等分する箇所に円形状のハーフパンチｈｐが前端付近及び後端付近の２箇所にそれぞれ設けられている。
【００２１】
１対の側板１３、１４は上端を頂板１１に、下端を底板１２に、後端を背板１５にそれぞれ接続した状態で左右略対称に起立しており、底板１２の外側面はそれぞれ平板状の化粧面として意匠的要素を担っているとともに、収納空間Ｓに臨む内側面には、それぞれ棚板Ｐを取り付けるための棚取付孔ｈが設けられている。
【００２２】
棚取付孔ｈは、同じ高さにおいて立面の奥方と前方に２箇所ずつ設けられた前後方向に延びるスリット状の孔であり、該孔の両端は半円状に処理されている。この棚取付孔ｈは側板１３、１４の上端付近から下端付近に亘り所定ピッチで配列されている。なお、本実施形態において、ピッチ幅は２３．４ｍｍに設定されており、棚取付孔ｈの位置は両側板１３、１４において位相が等しくなるよう設定されている。
【００２３】
背板１５は、前記頂板１１、底板１２及び１対の側板１３、１４の後端と接続することにより収納空間Ｓの背面を閉鎖するとともに収納家具１全体の強度を向上させる役割を果たしている。
【００２４】
また、本実施形態の収納家具１は、１対の側板１３、１４間に架設することにより、収納空間Ｓの全幅を仕切る棚板Ｐを設けることができる他に、図２（Ａ）に示すように、１対の側板１３、１４のいずれかと後述する縦仕切２０との間に架設することにより、その間に区成された収納空間Ｓを仕切る棚板Ｐ１、Ｐ２、Ｐ３を設けることができるようにしている。
【００２５】
収納空間Ｓの全幅を仕切る棚板Ｐは、上面に前述した底板１２と同じく縦仕切２を取り付けることができるよう、空間を幅方向に２等分する箇所と３等分する箇所に円形状のハーフパンチｈｐが前後２箇所にそれぞれ設けられている。
【００２６】
また、図２（Ａ）では、側板１３、１４と後述する縦仕切２０との間に棚板Ｐ１および棚板Ｐ３が架設されており、縦仕切２０の位置を変更することで、破線で示した幅寸法違いの棚板Ｐ２を取り付けることも可能としている。これらの棚板Ｐ１、Ｐ２、Ｐ３は、前述の棚板Ｐのようにハーフパンチｈｐは設けられていないが、その他の基本的な構造は前述の棚板Ｐと同様である。
【００２７】
なお、上述した各棚板Ｐ、Ｐ１、Ｐ２、Ｐ３を棚取付孔ｈに取り付ける態様として、図２（Ｂ）に示す、金属製の板材である棚爪Ｑを用い、図２（Ｃ）のようにその上部ｑ１を棚取付孔ｈに挿入し、その際に棚取付孔ｈより水平方向に突出する下部ｑ２の箇所に、図２（Ｄ）に示す棚板（図においては棚板Ｐ３）の側縁に設けた切込ｐの箇所を合わせて棚板Ｐ３を載置するものとしている。このように、棚板Ｐ３の側縁に切込ｐを設けることにより適切な位置に棚板Ｐ３を設置することができるのみならず、切込ｐは、棚板Ｐ３が前後に動くことを防止するストッパとしての役割を果たしている。
【００２８】
図１における縦仕切２は、棚板Ｐにより上下方向に３等分された収納空間Ｓを幅方向に仕切るために配置可能なものである。また、図２（Ａ）における縦仕切２０は収納空間Ｓの頂板１１から底板１２までの全丈を幅方向に仕切るために配置可能なものである。これら縦仕切２、２０の両側面には側板１３、１４と同じ棚取付孔ｈが設けられている。また、縦仕切２、２０に設けられた棚取付孔ｈは、上下方向に前記側板１３、１４のそれと同一ピッチで設けられており、収納空間Ｓに取り付けた際に相対する面に設けられた棚取付孔ｈと位相が等しくなるようにその位置が設定されている。
【００２９】
トレー４１、４２、４３、４４はそれぞれ前面に鏡板４１０、４２０、４３０、４４０を有するとともに上面に開口を有する、いわゆる引出として機能するものである。また、トレー４１、４２、４３は、収納空間Ｓを３等分した棚空間Ｒの幅寸法に略対応するとともに前記所定ピッチの２倍、４倍及び６倍の有効高さ寸法にそれぞれ略対応したものであり、トレ―４４は収納空間Ｓの３分の２の幅寸法に略対応するとともに前記所定ピッチの２倍の有効高さ寸法に略対応したものである。また、トレー４１、４２、４３、４４の側面からは、それぞれ奥行き方向に延び、上下方向に互いに平行な２本の突条ｔ１、ｔ２がそれぞれ突出している（図６）。
【００３０】
以上のような収納家具１に対して、本実施形態は、棚取付孔ｈを設けた箇所にトレー４１、４２、４３或いは４４を設置するため、その箇所にトレー取付部材３ａ、３ｂを添接するようにしている。トレー取付部材３ａ、３ｂは、１対の左右対称の板状部材であり、棚取付孔ｈを有する側板１３、１４及び縦仕切２、２０にそれぞれ添接することにより配置可能なものである。このトレー取付部材３ａ、３ｂは低コストでの生産を可能なものとするため、樹脂により一体成形されている。
【００３１】
また、トレー取付部材３ａ、３ｂは、側板１３、１４及び縦仕切２、２０に添接する一方の板面を添接面３１ａ、３１ｂとし、他方の板面をレール面３３ａ、３３ｂとしている。トレー取付部材３ａの添接面３１ａは側板１３及び縦仕切２、２０の右側の立面に、トレー取付部材３ｂの添接面３１ｂは側板１４及び縦仕切２、２０の左側の立面に添接するためのものである。
【００３２】
このために、添接面３１ａ、３１ｂの棚取付孔ｈに対応する箇所には、図３に示すように、係合部３２ａ、３２ｂが突設してある。係合部３２ａ、３２ｂの形状は、棚取付孔ｈに差し込んでスライドさせることにより当該棚取付孔ｈに緊密に係合するように、立ち上がりの部分から奥行き方向に先端部を延出させた鉤形をなすもので、先端部と添接面３１ａ、３１ｂとの隙間で側板１３、１４及び縦仕切２、２０を構成する板材ｓを挟持する挟持部ｘとなしている。この実施形態における前記挟持部ｘの隙間は０．６ｍｍ、有効深さは５ｍｍ程度に設定されている（図６）。
【００３３】
一方、レール面３３ａ、３３ｂには、奥行き方向ほぼ全幅に亘って延びるレール３４ａ、３４ｂが複数段に亘って設けられている。レール３４ａ、３４ｂは一定突出高さの突条であり、その前端側に突条をさらに高く突出させることによりトレー止め３５ａ、３５ｂを形成している。
【００３４】
なお、前記係合部３２ａ、３２ｂ及びレール３４ａ、３４ｂは棚取付孔ｈが上下方向に設けられているピッチと同じく２３．４ｍｍピッチで設けられている。
【００３５】
次に、トレー取付部材３ａ、３ｂを収納空間Ｓへ取り付ける態様について図４及び図５に基づいて説明する。
【００３６】
まず、図４は収納家具本体１０に、棚板Ｐ及び縦仕切２を用いて上下方向及び幅方向に仕切った収納空間Ｓにトレー取付部材３ａ、３ｂを取り付ける態様を例示している。このように収納空間Ｓの前面からトレー取付部材３ａ、３ｂをそれぞれ搬入し、トレー取付部材３ａを縦仕切２の右側面に、トレー取付部材３ｂを側板１４の左側面に添接させている。
【００３７】
図５に係合部３２ａが棚取付孔ｈを利用して板材ｓに固定される原理を示す。同図はレール３４ａの前端に位置するトレー止め３５ａ付近における模式的な断面図である。まず、係合部３２ａをそれぞれ棚取付孔ｈの近傍に位置づけ（図５（Ａ））、棚取付孔ｈに係合部３２ａを挿入する（図５（Ｂ））。そして挟持部ｘの端点ｘ１が板材ｓに当接するまで奥方へスライドさせる（図５（Ｃ））。この位置において、挟持部ｘは板材ｓを確実に挟持することにより、トレー取付部材３ａが板材ｓに確実に固定された状態となる。
【００３８】
次に、トレー取付部材３ａ、３ｂにトレー４１を取り付ける態様について図６に基づいて説明する。同図はその取付状態におけるレール３４ａ付近の模式的な断面図である。なお、レール３４ｂ付近については図６と左右対称の態様をなすとともに、他のトレー４２、４３或いは４４を収納する場合においても勿論同様である。
【００３９】
まず、１対のトレー取付部材３ａ、３ｂを前述の通り取り付けた状態において、レール面３３ａ、３３ｂに挟まれた空間にトレー４１を入れる。ここで、図６に示すようにトレー４１が有する上下２本の突条ｔ１、ｔ２の外寸はレール３４ａ、３４ａ間の内寸よりやや小さく設定されているため、上下２本の突条ｔ１、ｔ２は上下のレール３４ａ、３４ａ間に挟まれることによりトレー４１が上下方向に規制されるとともに奥行き方向へのスライドが可能となる。このとき、トレー４１が有する突条ｔ１、ｔ２の内、トレー４１を支持するのは下側の突条ｔ２のみであるが、トレー４１を移動させる際に上側の突条ｔ１が上側のレール３４ａに必要に応じて接することによりトレー４１の上下方向の動きが制限され、スライド移動時のがたつきが抑制される。また、トレー止め３５ａがトレー４１の鏡板４１０と当接することにより、トレー４１が誤って奥方へ行き過ぎることはなくトレー４１が位置決めされた状態となる。そうすることにより、トレー４１を複数配列させた状態においても鏡板４１０の前端面が前後にばらつくことなく面一となるため、トレーユニットとしての意匠的な効果を保持することができる。
【００４０】
また、トレー４１をスライドさせることに伴う、トレー取付部材３ａ、３ｂとトレー４１との摩擦によりトレー取付部材３ａ、３ｂが板材ｓに対してスライドする力が僅かに働くこととなる。そのため、挟持部ｘと板材ｓとを隔離させる方向にも僅かに前記摩擦力が加わることとなるが、トレー取付部材３ａ、３ｂは挟持部ｘの挟持力及び板材ｓと添接面３１ａ、３１ｂとの摩擦力により確実に固定されているとともに、トレー４１はレール３４ａ、３４ｂに沿って円滑にスライドするため、トレー４１がトレー取付部材３ａ、３ｂに加える摩擦力は相対的に僅かなものであり、その摩擦力によりトレー取付部材３ａ、３ｂがスライドして棚取付孔ｈから外れてしまうということはない。他のトレー４１、４２或いは４３が取り付けてある状態ではなおさらである。
【００４１】
次に、本実施形態に係る収納家具１において構成される収納空間Ｓのレイアウトパターンについて説明する。
【００４２】
本実施形態に係る収納家具１は、図１に示すように、先ず棚板Ｐを架設し、さらに縦仕切２を取り付けることにより収納空間Ｓを区成したレイアウトを構成することができる。また、図２（Ａ）に示すように、先ず全丈の縦仕切２０を取り付け、さらに棚板Ｐ１、Ｐ２或いはＰ３を架設することにより収納空間Ｓを区成したレイアウトを構成することも可能である。縦仕切２、２０で仕切られた収納空間Ｓにはトレー４１、４２、４３、４４がそれぞれ取り付けられている。
【００４３】
そして、収納家具１の他のレイアウトパターンを図７〜１０に例示する。図７〜９のように、トレー４１、４２、４３、４４と棚板Ｐ、Ｐ１、Ｐ２、Ｐ３を適宜並べ替えて配置しても上下方向に無駄な隙間空間を生ずることなく配列させることができる。このことは、トレー取付部材３ａ、３ｂが有するレール３４ａ、３４ｂが上下方向に棚取付孔ｈのそれと同一ピッチで設けられるとともに、収納空間Ｓの有効高さ寸法及びトレー４１、４２、４３、４４の高さ寸法もそのピッチの倍数にそれぞれ基づいて設定されていることに起因している。ここで上述した、「基づいて」とは、それらの寸法のみを指し示すのみならず、それらの寸法に設計上の都合を加味した寸法をも含むことを意味する。例えば、トレー４１、４２、４３、４４の高さ寸法は、前記所定ピッチの倍数寸法から隙間寸法が差し引かれて設定されており、このような寸法も前記所定ピッチの倍数寸法に「基づいて」いる。また、トレー４１、４２、４３、４４及び棚板Ｐ、Ｐ１、Ｐ２、Ｐ３をそれぞれ所望の高さ位置に設定することにより、図７〜９に示す以外にも多様なレイアウトを構成することが可能である。さらに、図１０のように収納空間Ｓの全面にトレー４１、４２及び４３を充填することも可能である。
【００４４】
以上のような構成とすることにより、本実施形態に係るトレー取付部材３ａ、３ｂは、予めレール３４ａ、３４ｂを具備していない収納空間Ｓにおいてもトレー４１、４２、４３或いは４４を充填することができるので、収納空間Ｓのレイアウトのバリエーションを向上させることができる。また、従来のトレーユニットのようなトレートレー４１、４２、４３或いは４４の形状・数に合わせた外箱が不要になるため、外箱の位置・大きさに制限されることなくトレー４１、４２、４３或いは４４を収納空間Ｓ内に自由に配置することができるとともに、本実施形態に係るトレー取付部材３ａ、３ｂのみ用意すれば、収納家具１を構成する品種数を増やすことなく様々なレイアウトパターンを実現することができる。
【００４５】
また、本実施形態に係るトレー取付部材３ａ、３ｂの具体的な構成として、一方の板面たる添接面３１ａ、３１ｂが、収納空間Ｓ内に棚板Ｐ、Ｐ１、Ｐ２或いはＰ３を取り付けるための棚取付孔ｈに係合可能な係合部３２ａ、３２ｂを有している。そうすることにより、棚取付孔ｈを利用して収納空間Ｓ内に棚板Ｐ、Ｐ１、Ｐ２、或いはＰ３を取り付けるかトレー４１、４２、４３或いは４４を取り付けるかの選択を行うことができ、別途トレーユニットを取り付けるための加工をすることなく収納空間Ｓ内のレイアウトのバリエーションを向上させることができる。
【００４６】
さらに、本実施形態に係るトレー取付部材３ａ、３ｂは、他方の板面たるレール面３３ａ、３３ｂにおいて複数段に亘ってレール３４ａ、３４ｂを有し、レール３４ａ、３４ｂ同士の間隔が、棚取付孔ｈ同士の間隔に等しいものとしている。このようなものであれば、棚取付孔ｈ同士の間隔に基づいてトレー４１、４２、４３或いは４４を配置することができるので、収納空間Ｓ内に棚板Ｐ、Ｐ１、Ｐ２、或いはＰ３とトレー４１、４２、４３或いは４４を混在させた状態においても無駄な空間を作らずに規則正しく配列させることが可能となり、意匠的効果を向上させるとともに収納空間Ｓの収納効率を高めることができる。
【００４７】
なお、本発明は、以上に示した以外にも、種々変形が可能である。
【００４８】
例えば、本発明の他の実施形態に係るトレー取付部材３ｃを図１１に示す。このトレー取付部材３ｃの基本的な構成については上記実施形態におけるトレー取付部材３ａ、３ｂと略同様であるが、溝状の破断誘発部３６をレール３４ｃに平行な方向に設け、トレー取付部材３ｃを適宜分割することができるものである。破断誘発部３６はレール３４ｃと同じく２３．４ｍｍピッチで設けられており、レール３４ｃごとに分割することが可能である。
【００４９】
このようなものであれば、例えば、上下を区切られた収納空間Ｓの上下寸法がトレー取付部材ｃより短い場合であっても破断誘発部３６の位置で適宜破断して取り付けることができるので、トレー４１、４２、４３或いは４４と、棚板Ｐ、Ｐ１、Ｐ２、或いはＰ３とを収納空間Ｓ内にレイアウトする自由度を向上させることができる。また、破断誘発部３６は棚取付孔ｈ及びレール３４ｃと同一ピッチで設けられているため、レール３４ｃの段数を１つ単位で変更することもできる。このようなものであれば、例えば、トレー４１、４２、４３或いは４４を１つのみ取り付けたい場合を含めて、取り付けたい箇所にのみレール３４ｃを設けることもできるので、収納空間Ｓのレイアウトのバリエーションはさらに広げられることとなる。
【００５０】
さらに他の実施形態に係るトレー取付部材３ｄを図１２及び図１３に示す。トレー取付部材３ｄの基本的な構成はトレー取付部材３ａ、３ｂと略同様であるが、レール３４ｄの両端にトレー止め３５ｄを設けている（図１２）とともに、添接面３１ｄには係合部３２ｄが突設してある（図１３（Ａ））。この係合部３２ｄは立ち上がりの部分から下方向に先端部を延出させた鉤形をなすもので、先端部と添接面３１ａ、３１ｂとの隙間で側板１３、１４及び縦仕切２、２０を構成する板材ｓを挟持する挟持部ｘ２となしている。係合部３２ｄが棚取付孔ｈを利用して板材ｓに固定される原理はスライドさせる方向が下側であることを除いては上述の係合部３２ａ、３２ｂと同様である（図１３（Ｂ）〜図１３（Ｄ））。
【００５１】
このようなものであれば、トレー取付部材３ｄを左右どちら向きに取り付けてもトレー止め３５ｄが手前側に位置するため、トレー取付部材３ｄを横向きに適宜反転させて用いることにより側板１３、１４及び縦仕切２、２０の両側の立面に共通して添接させることができる。
【００５２】
なお、本発明は上記実施形態に限定されるものではない。たとえば、係合部とレールの位置を調節することにより、上下方向がどちらの向きに取り付けても位相がずれることもピッチが乱れることもなくレールを取り付けることができるトレー取付部材を作成することも可能である。
【００５３】
その他、所定ピッチの寸法や、棚爪の形状や棚板に設ける切込の形状など、各部の具体的構成についても上記実施形態に限られるものではなく、本発明の趣旨を逸脱しない範囲で種々変形が可能である。
【図面の簡単な説明】
【００５４】
【図１】本発明の実施形態に係るトレー取付部材を適用した収納家具を示す斜視図。
【図２（Ａ）】同収納家具を他のレイアウトパターンにおいて示す斜視図。
【図２（Ｂ）】同実施形態に係る棚爪を示す斜視図。
【図２（Ｃ）】同実施形態に係る棚板の取付態様を示す断面図。
【図２（Ｄ）】同実施形態に係る棚板を示す模式図。
【図３】同実施形態に係るトレー取付部材を示す斜視図。
【図４】同実施形態に係るトレー取付部材の取り付け手順を示す斜視図。
【図５】同実施形態に係るトレー取付部材の取り付け手順を示す模式的な断面図。
【図６】同実施形態に係るトレー取付部材の取り付け手順を示す模式的な断面図。
【図７】同実施形態に係る収納家具のレイアウトパターンを示す模式図。
【図８】同実施形態に係る収納家具のレイアウトパターンを示す模式図。
【図９】同実施形態に係る収納家具のレイアウトパターンを示す模式図。
【図１０】同実施形態に係る収納家具のレイアウトパターンを示す模式図。
【図１１】本発明の他の実施形態に係るトレー取付部材を示す斜視図。
【図１２】本発明のさらに他の実施形態に係るトレー取付部材を示す斜視図。
【図１３】同実施形態に係るトレー取付部材の取り付け手順を示す模式図。
【符号の説明】
【００５５】
１…収納家具
１０…収納家具本体
１１…頂板
１２…底板
１３、１４…側板
２、２０…縦仕切
３ａ、３ｂ、３ｃ、３ｄ…トレー取付部材
３１ａ、３１ｂ…添接面
３２ａ、３２ｂ、３２ｄ…係合部
３３ａ、３３ｂ…レール面
３４ａ、３４ｂ、３４ｃ、３４ｄ…レール
３５ａ、３５ｂ、３５ｄ…トレー止め
３６…破断誘発部
４１、４２、４３、４４…トレー
４１０、４２０、４３０、４４０…鏡板
Ｓ…収納空間
Ｐ、Ｐ１、Ｐ２、Ｐ３…棚板
ｈ…棚取付孔
【図１】
2005124747.tif 000003
【図２（Ａ）】
2005124747.tif 000004
【図２（Ｂ）】
2005124747.tif 000005
【図２（Ｃ）】
2005124747.tif 000006
【図２（Ｄ）】
2005124747.tif 000007
【図３】
2005124747.tif 000008
【図４】
2005124747.tif 000009
【図５】
2005124747.tif 000010
【図６】
2005124747.tif 000011
【図７】
2005124747.tif 000012
【図８】
2005124747.tif 000013
【図９】
2005124747.tif 000014
【図１０】
2005124747.tif 000015
【図１１】
2005124747.tif 000016
【図１２】
2005124747.tif 000017
【図１３】
2005124747.tif 000018